(57)【特許請求の範囲】
【請求項１】
筒状をなす容器本体と、容器本体内をスライドする糊底を受ける受皿と、受皿の中央のねじ穴を貫通するねじ棒を備え容器本体の下部に回転自在に嵌め込む操作摘みと、容器本体の上部を塞ぐ蓋板とからなる全体として四角筒状をなす棒状糊容器であって、
容器本体に筒穴を備えた上げ底を設け、容器本体の上げ底より開放端側の各内壁中央に被掛止部を設け、操作摘みの上げ底に入り込む箇所に、９０度回転することで被掛止部に嵌る掛止部を対向位置に設けたことを特徴とする棒状糊容器。
【請求項２】
被掛止部を弧状凹部とし、掛止部を弧状凹部に嵌り込む突起としたことを特徴とする請求項１記載の棒状糊容器。
【発明の詳細な説明】
【０００１】
【発明の属する技術分野】
この発明は、棒状糊容器に関するもので、特に全体として直方体形状とし、９０度回転させることで所定の量を押し出せる構造としたものである。
【０００２】
【従来の技術】
従来より棒状の糊は押し出し式の容器に入れられて提供されているが、殆ど全部が円筒状の容器であった。
容器が円筒状であると、机上などで転がって床に落ち易く、しかも塗布面が円形となることから、方形の端や四隅に塗布するのに無駄な糊を塗ってしまったり、塗り損なうことにもなっていた。
【０００３】
このような不都合を解消するための角形の糊容器は、特開平９−２２１１７８号公報や登録実用新案第３０４９９５２号公報で提案されている。
【０００４】
【発明が解決しようとする課題】
しかし、これらについても次のような問題点があった。
特開平９−２２１１７８号公報の容器では、蓋を外せばその儘塗布できるようであるが、使用中に糊が短くなった時には枠を外して対応するもので、連続して使う場合は煩瑣な動作となり、枠の数によっては糊の露出量が過大となって糊が変形して枠外にはみ出したりする恐れが認められる。
一方、登録実用新案第３０４９９５２号の考案では、容器口の二辺をカーブ状にし、カーブに沿って走らせることで塗るものとしているが、カーブ状としたことに積極的な意義を看取できず、基部の固定糊出し入れグリップを四分の一単位での回転で、毎回均等な量の固形のりを出すことができるとしているが、そのための具体的な構造や手段が全く開示されていない。
【０００５】
【課題を解決するための手段】
本発明は基本的には、従来の繰り出し糊容器の構造を採用しつつ、９０度回転させることで所定の量の糊を繰り出すことができるようにし、しかも、９０度毎に掛止手段を設けることで確実に角筒状を保つようにすると共に操作の手応えを感じることができるようにしたものである。
【０００６】
そこで、請求項１の発明は、筒状をなす容器本体と、容器本体内をスライドする糊底を受ける受皿と、受皿の中央のねじ穴を貫通するねじ棒を備え容器本体の下部に回転自在に嵌め込む操作摘みと、容器本体の上部を塞ぐ蓋板とからなる全体として四角筒状をなす棒状糊容器であって、容器本体に筒穴を備えた上げ底を設け、容器本体の上げ底より開放端側の各内壁中央に被掛止部を設け、操作摘みの上げ底に入り込む箇所に、９０度回転することで被掛止部に嵌る掛止部を対向位置に設けたことを特徴とするものである。
【０００７】
請求項２の発明は、請求項１の発明を前提に、被掛止部を弧状凹部とし、掛止部を弧状凹部に嵌り込む突起としたことを特徴とするものである。
【０００８】
【発明の実施の形態】
以下、図面に示す実施の形態に即して、この発明に係る棒状糊容器について説明する。
図１は組立状態の斜視図、図２は分解斜視図、図３は組立状態の断面図、図４は被掛止部及び掛止部を示す断面図である。
この棒状糊容器Ａは全体として四角筒状を呈するもので、固形糊を納める容器本体１と、容器本体１内で固形糊の底を受けスライドする受皿２、固形糊を繰り出すため容器本体１の下部に回転自在に取り付ける操作摘み３と容器本体１に被せる蓋板４とからなり、全体をプラスチックの成形品から形成する。
【０００９】
容器本体１は、各壁面の面積が同一の四角筒状をなし、上部外周面は肉薄とした段縁部１１として蓋板４を面一に被せられるようにしてあり、内底部には上げ底１２を設けその中央には上部を径が短くなる段差部１３ａを設けた短い筒穴１３を突設してある。さらに、上げ底１２より開放端側の各内壁の中央には弧状凹部よりなる被掛止部１４、１４、１４、１４を形成してある。
段縁部１１の外周に横方向に隆起形成した突条１１ａは、蓋板４のストッパーとなるものである。
【００１０】
受皿２は容器本体１内でスライドするもので、四周は容器本体１の内壁に若干のクリアランスをもって当接するもので、底部中央からはねじ筒２１を一体に設けるようにしてある。
操作摘み３は、有蓋角筒状の本体３１に受皿２のねじ筒１２にねじ込むねじ棒３２を立設させてなるものである。
本体３１とねじ棒３２の間には、ほぼ円形台上をなし外周の対向する箇所に、弧状凹部よりなる被掛止部１４に嵌り込む円弧状の突起からなる掛止部３３ａ、３３ａを形成した隆起部３３と、ねじ棒３２より太く基部に環状突起３４ａをまた先端に裁頭円錐部３４ｂを設けた筒体３４を配している。
【００１１】
隆起部３３は容器本体１の上げ底１２の開放端側より入り込むので弧状凹部よりなる被掛止部１４に、隆起部３３の円弧状の掛止部３３ａが嵌り込ませるようにして組み付ける。
筒体３４の裁頭円錐部３４ｂは容器本体１の筒穴１３の段差部１３ａより強制的に押し込み、その段部３４ｃにて保持される。また筒体３４の環状突起３４ａは筒穴１３内に接触するようにしてある。操作摘み３の上面周縁は容器本体１の周壁下端に当たることになる。このようにして操作摘み３は容器本体１に回転自在に嵌め込まれる。
操作摘み３の本体３１の周面は指にて摘み易いような凹凸からなる指掛かり３１ａを形成してある。
【００１２】
蓋板４の有蓋角筒状をなし、外周には横方向に複数の凹凸を設けて蓋板４を外すとき滑り止め４１としてあり、内周には容器本体１の段縁部１１の突条１１ａの入り込む凹条４２が形成してある。蓋板４は変形可能な柔軟性のある素材としておくことが望ましい。
操作摘み３を９０度回転させると１ｍｍ程度受皿２が上昇するように、ねじ棒３２及び受皿２のねじ筒２１のピッチを設定しておくなどする。
【００１３】
このような構成からなる棒状糊容器Ａを組み立てるには、容器本体１に操作摘み３を回転自在に嵌め込むようにするのであるが、このとき、容器本体１の四つの被掛止部１４に操作摘み３の二つの掛止部３３ａを合致させるようにして押し入れるようにする。次いで受皿２を落とし込んでから、操作摘み３を逆回転させて受皿２を容器本体１内の下方に配置する。この状態で粘稠質の糊を充填し上部を均して固形糊とし、蓋板４を被せるのである。
【００１４】
【発明の効果】
請求項１の発明では、全体として四角筒状をなすものであるので、倒して置いても安定性が良く、床に落としたりする恐れが少なくなり、糊の塗布面も四角形状となるので塗布し易く無駄が省けるのである。
さらには、容器本体に筒穴を備えた上げ底を設け、容器本体の上げ底より開放端側の各内壁中央に被掛止部を設け、操作摘みの上げ底に入り込む箇所に９０度回転することで被掛止部に嵌る掛止部を対向位置に設けたので、９０度回転させることが感触乃至嵌り込む音で確認でき、常に四角筒状として塗布作業をすることができ操作性が良くなるのである。
請求項２の発明では、被掛止部を弧状凹部とし、掛止部を弧状凹部に嵌り込む突起としたので、一方を比較的硬質のプラスチックで他方を軟質のプラスチックで成形すれば容易に変形して嵌り込むことになるので動きがスムースとなるのである。
【図面の簡単な説明】
図１は組立状態の斜視図、図２は分解斜視図、図３は組立状態の断面図、図４は被掛止部及び掛止部を示す断面図である。
【図１】この発明に係る棒状糊容器の組立状態の斜視図である。
【図２】棒状糊容器の分解斜視図である。
【図３】棒状糊容器の組み立て状態の断面図である。
【図４】ａは操作摘みと容器本体の掛止部と被掛止部が合致している状態を示す概略横断面図、ｂは離反している状態を示すための概略横断面図である。
【符号の説明】
Ａ  棒状糊容器
１  容器本体
１４  被掛止部
２  受皿
３  操作摘み
３３ａ  掛止部
４  蓋板
【図１】
0003697160.tif 000002
【図２】
0003697160.tif 000003
【図３】
0003697160.tif 000004
【図４】
0003697160.tif 000005